(57)【要約】【課題】ケース内で２種類の接続端子同士を接合することにより、容易に製造し得る。【解決手段】スルーピン３を固定したホルダ４をスルーピン３の下端ピン３ｂ側から、ケース１のホルダ装着孔１ｂ内に上方から挿入する。この挿入過程で、スルーピン３の下端ピン３ｂは、ケース１内に予め挿入されている接続端子２の円筒受部２ｂにそれぞれ嵌入して円筒受部２ｂを通過し、接続端子２、スルーピン３同士は電気的に接続される。【選択図】図１
2011054370.tif 000002
【特許請求の範囲】
【請求項１】
合成樹脂から成るケースと、該ケース中に挿入し先端に円筒受部を有し後端に電線を接続した複数個の接続端子と、該接続端子の挿入方向と直交する方向から前記ケースに装着する合成樹脂から成るホルダと、該ホルダの装着方向と平行に該ホルダに固定し前記接続端子と同数のスルーピンとを備え、該スルーピンは前記接続端子の円筒受部内に嵌合する下端ピンと、該下端ピンの反対側にあって前記ケースの外方に向けて突出する上端ピンとを有することを特徴とする端子付回路ケース。
【請求項２】
前記スルーピンの上端ピンは前記ケースと別体の保護カバーにより囲まれることを特徴とする請求項１に記載の端子付回路ケース。
【請求項３】
前記保護カバーは相手側コネクタと結合し、該相手側コネクタを錠止することを特徴とする請求項２に記載の端子付回路ケース。
【発明の詳細な説明】
【技術分野】
【０００１】
本発明は、例えば自動車等の電気回路において使用する端子付回路ケースに関するものである。
【背景技術】
【０００２】
自動車等においては、各種電子機器の配線をまとめて、相手側コネクタに接続する電子ユニットが例えば特許文献１において知られている。この電子ユニットでは、一端を内蔵の電子回路に接続した多数のピン端子をケースの外部に向けて突出している。
【先行技術文献】
【特許文献】
【０００３】
【特許文献１】特開２００４−２７４９５４号公報
【発明の概要】
【発明が解決しようとする課題】
【０００４】
しかし上述の特許文献１では、多数のピン端子をケースに確実に固定するために複雑な機構を採用しており、コストアップとなる。例えば、ピン端子はケース内においてＬ字状に屈曲しているのが通常であり、その製造工程を複雑としている。
【０００５】
本発明の目的は、上述の課題を解決し、Ｌ字状の端子を使用することなく、ケース内で２種類の接続端子同士を接合することにより、容易に製造し得る端子付回路ケースを提供することにある。
【課題を解決するための手段】
【０００６】
上記目的を達成するための本発明に係る端子付回路ケースは、合成樹脂から成るケースと、該ケース中に挿入し先端に円筒受部を有し後端に電線を接続した複数個の接続端子と、該接続端子の挿入方向と直交する方向から前記ケースに装着する合成樹脂から成るホルダと、該ホルダの装着方向と平行に該ホルダに固定し前記接続端子と同数のスルーピンとを備え、該スルーピンは前記接続端子の円筒受部内に嵌合する下端ピンと、該下端ピンの反対側にあって前記ケースの外方に向けて突出する上端ピンとを有することを特徴とする。
【発明の効果】
【０００７】
本発明に係る端子付回路ケースによれば、ケースの内部で２つの接続端子を容易に接合が可能で、組立てが容易となる。
【図面の簡単な説明】
【０００８】
【図１】端子付回路ケースの断面図である。
【図２】ケースの平面図、側面図、断面図である。
【図３】接続端子の平面図、側面図である。
【図４】スルーピンの正面図、側面図、拡大断面図である。
【図５】ホルダの平面図、正面図、側面図である。
【図６】保護カバーの平面図、正面図である。
【図７】要部の分解斜視断面図である。
【図８】ホルダをケースに仮装着した状態の端子付回路ケースの断面図である。
【発明を実施するための形態】
【０００９】
本発明を図示の実施例に基づいて詳細に説明する。
図１は実施例の端子付回路ケースの断面図である。端子付回路ケースはケース１、複数個の接続端子２、複数個のスルーピン３、ホルダ４、保護カバー５から構成されている。
【００１０】
図２（ａ）はケース１の平面図、（ｂ）は側面図、（ｃ）は断面図である。合成樹脂材から成るケース１の下部には、水平方向に接続端子２がそれぞれ挿入される複数個の端子挿入孔１ａが設けられ、上部には上下方向にホルダ装着孔１ｂ、保護カバー取付孔１ｃが形成され、端子挿入孔１ａとホルダ装着孔１ｂとはケース１内で連通されている。
【００１１】
端子挿入孔１ａの入口部は円形状で大径とされ、端子挿入孔１ａの奥部において接続端子２の先端部を載置する台座１ｄが設けられ、また後述する円筒受部を保持する断面半円状の保持部１ｅが設けられ、その下方にはスルーピン３の下端ピンを収容する凹部１ｆが形成されている。更に、接続端子２の浮き上りを防止すると共に、接続端子２の挿入時のガイドを兼ねる押え部１ｇが設けられている。
【００１２】
図３（ａ）は接続端子２の平面図、（ｂ）は要部を断面とした側面図である。接続端子２は導電金属板を打抜き、折曲して成り、平坦状の先端部２ａの中心には円筒受部２ｂから成る接続部が形成され、後端部には断面Ｕ字状の圧着片を折り曲げた電線圧着部２ｃにより電線２ｄが固定されている。また各電線２ｄには、合成ゴムから成る円筒状の防水シール材２ｅが挿着されている。
【００１３】
図４（ａ）はスルーピン３の正面図、（ｂ）は側面図、（ｃ）は拡大断面図である。スルーピン３は導電金属板を打抜き、折曲して形成され、スルーピン３の上端ピン３ａ及び下端ピン３ｂは、中間部３ｃにより接続されている。上端ピン３ａ、下端ピン３ｂは金属板を断面角型に折り畳まれ、内部に空胴部のないピン状に形成され、それぞれの先端は錐状とされている。なお、下端ピン３ｂの中心を通る角部間の距離は接続端子２の円筒受部２ｂの内径よりも稍々大きくされている。
【００１４】
従って、金属板が薄い場合でも、金属板の厚みに比較して上端ピン３ａ、下端ピン３ｂの一辺の厚みを十分に大きくし、強度を高めることができる。また、スルーピン３の中間部３ｃは幅広とされ、その両側に係止部３ｄが翼状に突出されている。
【００１５】
図５（ａ）は合成樹脂材から成り、スルーピン３を取り付けたホルダ４の平面図、（ｂ）は正面図、（ｃ）は側面図を示し、ホルダ４はケース１のホルダ装着孔１ｂ内に装着されるようになっている。スルーピン３はホルダ４に固定されて射出成型により成型されており、スルーピン３とホルダ４は一体とされている。これにより、上部にスルーピン３の上端ピン３ａが突出され、下部からは下端ピン３ｂが突出されたホルダ４が得られる。
【００１６】
図６（ａ）は保護カバー５の平面図、（ｂ）は正面図である。合成樹脂から成る保護カバー５は、枠部５ａを有し、ケース１に装着されたホルダ４から上方突出されたスルーピン３の上端ピン３ａを保護すると共に、枠部５ａにより相手側コネクタと嵌合するようにされている。また、保護カバー５のケース１の保護カバー取付孔１ｃへの装着に際しては、保護カバー５はケース１に対し２段階の装着が可能とされている。つまり、仮装着位置では保護カバー５はケース１の保護カバー取付孔１ｃに浅く装着され、押し込みによる本装着位置では保護カバー取付孔１ｃに深く装着され、それぞれの位置でケース１に係止可能とされている。
【００１７】
組立てに際しては、図７に示すようにケース１の側方から端子挿入孔１ａ内に、電線２ｄ付きの接続端子２を円筒受部２ｂを下側に向け、個々に挿入すると、接続端子２の先端部２ａはケース１の押え部１ｇに案内されながら進入し、円筒受部２ｂの軸線を上下方向に揃えて停止する。この状態で、接続端子２の先端部２ａは台座１ｄ上に載置され、円筒受部２ｂは保持部１ｅに保持されると共に、押え部１ｇにより押えられて位置決めされ、電線２ｄはケース１の外部に引き出される。また、電線２ｄに周設した防水シール材２ｅは、ケース１の端子挿入孔１ａの大径の入口部の内周面に密着し、この部分における防水性が確保される。
【００１８】
次に、図７に示すように、スルーピン３を固定したホルダ４をスルーピン３の下端ピン３ｂ側から、ケース１のホルダ装着孔１ｂ内に上方から挿入する。この挿入過程で、スルーピン３の下端ピン３ｂは、予め挿入されている接続端子２の円筒受部２ｂにそれぞれ嵌入して円筒受部２ｂを通過し、接続端子２、スルーピン３同士は電気的に接続される。この接続端子２とホルダ４の接続は、接続端子２の円筒受部２ｂの接触内面は円形であり、スルーピン３の下端ピン３ｂは角型であって、下端ピン３ｂの角部間の差し渡しは円筒受部２ｂの内径よりも稍々大きくされているので、下端ピン３ｂの角部は確実に円筒受部２ｂの内面に接触する。
【００１９】
続いて、保護カバー５を図８に示すようにケース１に浅く仮装着して、上端ピン３ａを保護する。これは、端子付回路ケースをこの状態で運搬することにより、スルーピン３の上端ピン３ａが不時に異物に接触して損傷することを防止するためである。
【００２０】
実際の端子付回路ケースの使用時には、保護カバー５は図１に示すようにケース１に深く本装着し、上端ピン３ａを露出して使用する。このようにして組立てられた端子付回路ケースは、例えばプリント基板上等に固定し、電線２ｄの他端部をそれぞれ所定の回路端子に接続し、ケース１の上部の保護カバー５内の上端ピン３ａに相手側コネクタの接続端子を嵌合し電気的な接続を行う。
【００２１】
このとき、保護カバー５は相手側コネクタと連結するための図示しない錠止機構を備えており、相手側コネクタが一旦嵌合すると不時に外れることはない。
【００２２】
なお、スルーピン３はホルダ４の射出成型時に一体に固定するようにしたが、ホルダ４を成型した後にスルーピン３をホルダ４に設けたスルーピン挿通孔に挿入して固定するようにしてもよい。
【符号の説明】
【００２３】
１  ケース
２  接続端子
３  スルーピン
４  ホルダ
５  保護カバー
【図１】
2011054370.tif 000003
【図２】
2011054370.tif 000004
【図３】
2011054370.tif 000005
【図４】
2011054370.tif 000006
【図５】
2011054370.tif 000007
【図６】
2011054370.tif 000008
【図７】
2011054370.tif 000009
【図８】
2011054370.tif 000010